(57)【特許請求の範囲】
【請求項１】
遊技構成主体の交換可能な前枠と、遊技構成主体の前側及び前枠の前側を覆う前面化粧体と、前面化粧体に着脱可能に取付けられて遊技構成主体の識別情報を表した情報表示体とを備えた遊技機枠体において、前面化粧体は枠支持体と周辺飾りとパネル枠とを備え、枠支持体は前枠の内周縁に固定されかつ前枠の内周縁側に位置する溝を備え、パネル枠は枠支持体にヒンジで前横方向に片開き可能に取付けられた額縁状であり、周辺飾りは前枠の前側を覆うように前枠に固定される縁飾り体を備え、情報表示体はステーの前面に裏側から固定具で取付けられ、この情報表示体が固定具で取付けられたステーは前枠に固定された縁飾り体の前面に粘着材で取付けられ、ステーにおける前枠の内周側に位置する一端部には屈曲部が設けられ、屈曲部は前枠に取付けられた枠支持体の内周側の溝に嵌め込まれ、前枠に枠支持体を介して前側横方向に片開き可能に取付けられたパネル枠が閉じられることにより、パネル枠の外周縁部がステーの屈曲部および枠支持体の内周側の溝に嵌め込まれたことを特徴とする遊技機枠体。
【発明の詳細な説明】
【０００１】
【発明の属する技術分野】
本発明は、パチンコ機やスロットマシン等の遊技機に用いる遊技機枠体であって、パチンコ機における遊技盤やスロットマシンにおける図柄表示装置等の遊技構成主体を交換することで機種替を行える遊技機枠体に関する。
【０００２】
【従来の技術】
上記パチンコ機等の遊技機は流行の影響を受けることから、短期間毎に機種替を行なう必要がある。その機種替毎に遊技機枠体及び遊技構成主体を全部新旧入替えていたのでは、遊技店の無駄な設備投資が嵩み経済的に好ましくない。このようなことから、遊技機の形態としては遊技店の島設備に取付けられる遊技機枠体から遊技構成主体を交換可能とした分離式が主流であり、遊技店の新装開店のような機種替の場合には遊技機枠体を長期間使用し得る耐久部品と見立て、遊技構成主体のみを新機種に交換することが多いのである。
【０００３】
【発明が解決しようとする課題】
しかし、遊技構成主体のみを新機種に入替えただけでは遊技機全体の目新しさに欠けることは否めない。
【０００４】
そこで、本発明は、遊技構成主体の機種替に際して遊技機枠体の目新しさも図れる遊技機枠体を提供するものである。
【０００５】
【課題を解決するための手段】
本発明に係る遊技機枠は、遊技構成主体の交換可能な前枠と、遊技構成主体の前側及び前枠の前側を覆う前面化粧体と、前面化粧体に着脱可能に取付けられて遊技構成主体の識別情報を表した情報表示体とを備えた遊技機枠体において、前面化粧体は枠支持体と周辺飾りとパネル枠とを備え、枠支持体は前枠の内周縁に固定されかつ前枠の内周縁側に位置する溝を備え、パネル枠は枠支持体にヒンジで前横方向に片開き可能に取付けられた額縁状であり、周辺飾りは前枠の前側を覆うように前枠に固定される縁飾り体を備え、情報表示体はステーの前面に裏側から固定具で取付けられ、この情報表示体が固定具で取付けられたステーは前枠に固定された縁飾り体の前面に粘着材で取付けられ、ステーにおける前枠の内周側に位置する一端部には屈曲部が設けられ、屈曲部は前枠に取付けられた枠支持体の内周側の溝に嵌め込まれ、前枠に枠支持体を介して前側横方向に片開き可能に取付けられたパネル枠が閉じられることにより、パネル枠の外周縁部がステーの屈曲部および枠支持体の内周側の溝に嵌め込まれたことを特徴とする。よって、旧機種の遊技構成主体を新機種の遊技構成主体に交換するに際し、旧機種の識別情報の表された情報表示体を新機種の識別情報の表された情報表示体に交換することにより、遊技構成主体の機種替に伴い、前面化粧体の前面意匠も変わるので、遊技構成主体及び遊技機枠体をも含む遊技機全体の目新しさを遊技者等に強烈に訴えることができるうえ、パネル枠が閉じられることにより、パネル枠の外周縁部がステーの屈曲部および枠支持体の内周側の溝に嵌め込まれるので、ピアノ線のような不正部材が遊技機枠体の外側から内側に挿入されるのを防止するためのパネル枠の外周縁部と枠支持体の内周側の溝との嵌合構造を利用し、パネル枠が閉じられた状態においてステーの取外しを防止することができる。
【０００６】
【発明の実施の形態】
図１及び図２は第１実施形態であって、図１は遊技機の一例としてのパチンコ機の外観を示し、図２はパチンコ機の正面を示す。
【０００７】
図１を参照し、パチンコ機について説明する。遊技機枠体１は額縁状の外枠２に前枠３及び前面化粧体４をヒンジで前方横方向に片開き可能に取付けた形態である。前面化粧体４は前枠３を覆う前面意匠を形成するものであって、枠支持体５と周辺飾り６とパネル枠７と上皿装置８及び下皿装置９を備え、周辺飾り６及び上皿装置８に遊技構成主体である遊技盤１０に表示された識別情報１１と同種の識別情報１３；１４；１５；１６；１７を表示する情報表示体１８；１９；２０；２１；２２を個別に備える。枠支持体５は前枠３の内周縁に固定される。パネル枠７は枠支持体５にヒンジで前横方向に片開き可能に取付けられた額縁状であって、遊技機枠体１の内部に格納された遊技盤１０を遊技機枠体１の前側より見ることが可能な透視性の有る合成樹脂又はガラスのようなパネル２５を備える。下皿装置９の右側にはハンドルグリップ２６を配置する。
【０００８】
周辺飾り６は前枠３の左右縁部や上縁部を覆うように前枠３に固定されるものであって、前枠３の左右縁部に対応する左右縁飾り体３１；３２と前枠３の上縁部に対応する上縁飾り体３３とを備え、左右縁飾り体３１；３２に情報表示体１８〜２１を備える。左右縁飾り体３１；３２は縦長な帯状の前面部３１ａ；３２ａと前面部３１ａ；３２ａの左右縁より裏側に突出した左右側面部３１ｂ；３２ｂと前面部３１ａ；３２ａの裏面より裏側に突出する取付脚部３１ｃ；３２ｃとを備え、取付脚部３１ｃ；３２ｃを前枠３に形成された取付孔３４に前側より挿入した状態においてクリップのような固定具３５を前枠３の裏側より取付孔３４を経由して取付脚部３１ｃ；３２ｃに嵌め込むことにより前枠３に取付けられる。右縁飾り体３２は前面部３１ａ；３２ａに前枠３に取付けられた施錠装置３６を挿入し得る逃孔３７を有する。上皿装置８は球を入れる上方開放状の球貯蔵室３８を備えていると共に、ヒンジで前側に片開き可能に取付けられる。上皿装置８は上皿カバー３９を上皿取付基体４０に裏側より止ねじで締結した構造であって、上皿カバー３９の前面に情報表示体２２を備える。
【０００９】
周辺飾り６における情報表示体１８〜２１は遊技盤１０に表示された識別情報１１と同種の識別情報１３〜１６を表示したものであって、第１実施形態の場合、合成樹脂よりなる左右縁飾り体３１；３２の成形時に左右縁飾り体３１；３２の前面に識別情報１３〜１６を型取りし、この型取りされた識別情報１３〜１６の表面に色付け（彩色）やメッキ等で色彩を施すことで、左右縁飾り体３１；３２として形成される。上皿装置８における情報表示体２２は遊技盤１０に表示された識別情報１１と同種の識別情報１７を表示したものであって、第１実施形態の場合、合成樹脂よりなる上皿カバー３９の成形時に上皿カバー３９の前面に識別情報１７を型取りし、この型取りされた識別情報１７の表面に色付けやメッキ等で色彩を施すことで、上皿カバー３９として形成される。
【００１０】
遊技盤１０はベニヤ又は集成材又は合成樹脂を主材料とした基板の前面に意匠盤面を形成する化粧シートを接着した構造である。化粧シートは光透過性を有する合成樹脂よりなる表層体の裏面にデザイン画や識別情報１１を印刷した後にケント紙のような定着用紙を接着した形態であって、定着用紙を介して遊技基板の前面に接着される。よって、遊技盤１０としては表層体の前面上で球を転がす形態である。この遊技盤１０の情報表示体１２は遊技盤１０の種別を遊技者や公的検査者に訴えると共に識別させるための例えば「ルパン」、「いるか」、「お天気スタジオ」等の機種名のような識別情報１１を表示したものであって、第１実施形態の場合、上記のように識別情報１１を印刷した化粧シートにより形成される。遊技盤１０の化粧盤面のガイドレール４５で囲まれた内側の遊技領域には情報表示体１２を避けて入賞口装置４６、センタ役物としての図柄表示装置４７、図柄始動入賞口装置４８、大当り遊技用の変動入賞口装置４９及びアウト口５０等の遊技機能部品が取付けられる。
【００１１】
第１実施形態の構造によれば、前枠３に遊技盤１０を取付け、パネル枠７及び上皿装置８を閉じて開くことがないように前枠３にロックすると、遊技盤１０の意匠盤面や遊技機能部品４５〜５０及び識別情報１１がパネル２５を通して遊技機枠体１の前側から視認可能となると共に、前面化粧体４の識別情報１３〜１７が直接的に遊技機枠体１の前側から視認可能となり、遊技盤１０の識別情報１１と前面化粧体４の識別情報１３〜１７との共同で当該パチンコ機の機種を遊技者等に訴えることができる。
【００１２】
又、旧機種の遊技盤１０を新機種の遊技盤１０に交換する場合には、新機種の遊技盤１０とそれに対となる左右縁飾り体３１；３２及び上皿カバー３９との組合せを遊技機製造者が遊技店に販売して新旧の入替えを行なう。それには、遊技店において、旧機種の遊技盤１０や左右縁飾り体３１；３２及び上皿カバー３９を遊技機枠体１から取外し、新機種の遊技盤１０や左右縁飾り体３１；３２及び上皿カバー３９を遊技機枠体１に取付ける。これによって、遊技店の新装開店のような機種替に際し、耐久部品である遊技機枠体１を構成する殆どの部品をそのまま使用し、遊技構成主体である遊技盤１０を新機種に交換すると共に、遊技機枠体１を構成する一部の部品たる左右縁飾り体３１；３２及び上皿カバー３９を交換するだけで、遊技者等が見た場合に、遊技盤１０のみならず遊技機枠体１までもが新しくなったという、遊技機全体の目新しさを遊技者等に強烈に訴えることができる。
【００１３】
図３は第２実施形態のパチンコ機の概略を示し、貼付シール形態なる情報表示体５１を左右縁飾り体３１；３２の前面及び上皿カバー３９の前面それぞれに形成された凹部５２に貼付することにより、情報表示体５１のコストダウン及び交換作業のし易さを追求したものである。情報表示体５１は、光透過性を有する合成樹脂製の表層体の裏面に第１実施形態の識別情報１３〜１７に相当する識別情報５３を印刷し、その裏側より粘着剤のような不乾性接着剤を添付し、不乾性接着剤に剥離紙を添付した積層体になっている。そして、剥離紙を剥して不乾性接着剤を凹部５２に押付けて、情報表示体５１を左右縁飾り体３１；３２や上皿カバー３９に取付ける。よって、旧機種の遊技盤１０を新機種の遊技盤１０に交換する場合には、新機種の遊技盤１０とそれに対となる情報表示体５１との組合せを遊技機製造者が遊技店に販売して新旧の入替えを行なう。それには、遊技店において、旧機種の遊技盤１０や情報表示体５１を遊技機枠体１から取外し、新機種の遊技盤１０や情報表示体５１を遊技機枠体１に取付ける。
【００１４】
図４は第３実施形態の情報表示体５５の概略を示し、機種名のような識別情報を表現した立体キャラクタ形態なる情報表示体５５を図１における左右縁飾り体３１；３２及び上皿カバー３９等の相手側部材の一例たる縁飾り体５６の前面に型取りし、この型取りされた情報表示体５５の表面に色付けやメッキ等で色彩を施すことで、縁飾り体５６として形成したものである。縁飾り体５６の前面にはデザイン画５７を型取りし、この型取りされたデザイン画５７の表面に色付けやメッキ等で色彩を施してもある。左右縁飾り体３１；３２を上皿カバー３９と読替えることにより、情報表示体５５を上皿カバー３９として形成できることは容易に理解できるであろう。
【００１５】
図５は第４実施形態の情報表示体６１の概略を示し、機種名のような識別情報を表現した立体キャラクタ形態なる情報表示体６１を図１における左右縁飾り体３１；３２及び上皿カバー３９等の相手側部材の一例たる縁飾り体６２とは別体とし、この別体の情報表示体６１を縁飾り体６２の前面に裏側から止ねじのような固定具６３で取付けたものである。この情報表示体６１は成形後の合成樹脂体の表面に色付けやメッキ等で色彩を施すか、又は、成形材料として色素を混合した合成樹脂を用いても良い。縁飾り体６２の前面には型取りされたデザイン画６４を有する。縁飾り体６２を上皿カバー３９と読替えることにより、情報表示体６１を上皿カバー３９に取付け得ることは容易に理解できるであろう。
【００１６】
図６及び図７は第５実施形態であって、図６は情報表示体７１；７２の概略を示し、図７は情報表示体７１；７２の取付部周りの横断面を示す。図６において、複数の情報表示体７１；７２は機種名のような識別情報を表現した立体キャラクタ形態であって、一方の情報表示体７１と他方の情報表示体７２との形態が異なるのは夫々の情報表示体７１；７２が異なる機種名を表わすからである。各情報表示体７１；７２は板状のステー７３の前面に裏側から止ねじのような固定具７４で個別に取付けられ、双方が１つのステー７３に同時に取付けられることはない。ステー７３は一端部に屈曲部７５を有し、固定具７４を挿入するための貫通孔７６が形成された面部の裏面には両面粘着テープのような粘着材７７を備える。
【００１７】
図７に示すように、例えば、一方の情報表示体７１が固定具７４で取付けられたステー７３は前枠３に固定された縁飾り体７８に粘着材７７で取付けられ、ステー７３の屈曲部７５が前枠３に止ねじのような固定具７９で取付けられた枠支持体５の内周側の溝に嵌め込まれる。そして、前枠３に枠支持体５を介して前側横方向に片開き可能に取付けられたパネル枠７が閉じられることにより、パネル枠７の外周縁部７ａが枠支持体５の溝５ａに嵌め込まれる。この外周縁部７ａと溝５ａとの嵌合構造はピアノ線のような不正部材が遊技機枠体１の外側から内側に挿入されるのを防止するためである。よって、この嵌合構造を利用し、パネル枠７が閉じられた状態においてステー７３の取外しを防止することができる。縁飾り体７８を上皿カバー３９と読替え、ステー７３を上皿取付基体４０の外周縁部に嵌め込むことにより、情報表示体７１；７２を上皿装置８にステー７３で取付け得ることは容易に理解できるであろう。
【００１８】
図８は第６実施形態の情報表示体８１を示し、機種名のような識別情報８２を型取り又は印刷等で表示した情報表示体８１を図１における左右縁飾り体３１；３２及び上皿カバー３９等の相手側部材の一例たる上皿カバー３９とは別体とし、この別体の情報表示体８１を上皿カバー３９の前面に前側から嵌め込みにて取付けたものである。情報表示体８１は帯板状の前面に識別情報８２を備え、両端部より裏側に突出した係合部８３を備える。係合部８３は先端にフック部８４を有する。上皿カバー３９は前面に情報表示体８１を収納する凹部８５を備え、凹部８５の両端に孔として形成された被係合部８６を有する。そして、係合部８３を被係合部８６に前側より挿入することにより、フック部８４が被係合部８６周りに嵌め込まれ、情報表示体８１が上皿カバー３９に取付けられる。上皿カバー３９を左右縁飾り体３１；３２と読替えることにより、情報表示体８１を左右縁飾り体３１；３２に嵌め込みにて取付得ることは容易に理解できるであろう。
【００１９】
図９〜図１１は第７実施形態の情報表示体９１を示し、図９はパチンコ機の正面を示し、図１０は情報表示体９１周りの縦断面を示し、図１１は情報表示体９１周りの概略を裏側より示す。図９において、情報表示体９１は上皿装置８と下皿装置９との間に配置された表示ホルダ９２に抜き差し可能に収納され、情報表示体の前面に表示された識別情報を前側より表示ホルダ９２を通して見えるようにしたものである。
【００２０】
図１０に示すように、表示ホルダ９２は上皿装置８の前枠３（図１参照）への取付基体９３の裏面に両面粘着テープのような粘着材９４で取付けられたステー９５の先端に装着される。ステー９５の先端は取付基体９３の下部から上皿装置８の下面に沿って前側に突出する。そのステー９５の先端には表示ホルダ９２の裏面に結合された接続部９６が差込式に取付けられることで、表示ホルダ９２が図１１にも示すようにステー９５に取付けられて上皿装置８よりも下方に垂下がった状態に配置される。その状態で情報表示体９１を表示ホルダ９２に上方の開口より内部に挿入したり、表示ホルダ９２より取外すことが可能である。
【００２１】
前記実施形態における遊技盤１０に代えて図柄表示装置なる遊技構成主体として用いるスロットマシンにも同様に適用可能である。
【００２２】
図１では、情報表示体１２を遊技盤１０のガイドレール４５で囲まれた内側の遊技領域に設けたが、ガイドレール４５の外側に配置された盤面飾り９９に遊技盤１０の前側より視認し得る貫通孔１００を設け、貫通孔１００を通して遊技盤１０の前側より視認し得る意匠盤面に情報表示体１２を設ければ、遊技盤１０を前枠３に取付け、パネル枠７を閉じて前枠３にロックした遊技可能な状態において、遊技機枠体１の前側よりパネル２５及び貫通孔１００を経由して意匠盤面の情報表示体１２を視認させることもできる。
【００２３】
識別情報１１；１３〜１７；５３；８２としては文字やキャラクタ以外の図柄、模様及び色分け等で形成しても良い。
【図面の簡単な説明】
【図１】  第１実施形態のパチンコ機を示す分解斜視図。
【図２】  第１実施形態パチンコ機を示す正面図。
【図３】  第２実施形態のパチンコ機を示す分解正面図。
【図４】  第３実施形態の情報表示体を示す斜視図。
【図５】  第４実施形態の情報表示体を示す分解斜視図。
【図６】  第５実施形態の情報表示体を示す分解斜視図。
【図７】  第５実施形態の取付構造を示す横断面図。
【図８】  第６実施形態の情報表示体周りを示す分解斜視図。
【図９】  第７実施形態のパチンコ機を示す正面図。
【図１０】  図９のＡ−Ａ線断面図。
【図１１】  第７実施形態の情報表示体周りを示す斜視図。
【符号の説明】
３  前枠
４  前面化粧体
１０  遊技盤（遊技構成主体）
１１；１３〜１７；５３；８２  識別情報
１２；１８〜２２；５１；５５；６１；７１；７２；８１；９１  情報表示体
【図１】
0003730118.tif 000002
【図２】
0003730118.tif 000003
【図３】
0003730118.tif 000004
【図４】
0003730118.tif 000005
【図５】
0003730118.tif 000006
【図６】
0003730118.tif 000007
【図７】
0003730118.tif 000008
【図８】
0003730118.tif 000009
【図９】
0003730118.tif 000010
【図１０】
0003730118.tif 000011
【図１１】
0003730118.tif 000012